(57)【要約】【課題】変形しにくいサイド部を有するピロー包装体を効率的に製袋することができるようにしたピロー包装用原反を提供するとともに、一端部から他端部に掛けて確実に引き裂かれて開封することができるようにしたピロー包装体を提供する。【解決手段】本ピロー包装用原反は、帯状のシート１０から正面部２１と背面部２２と一対のサイド部２３，２３とを備えたピロー包装体を製袋するもので、前記サイド部２３，２３となるサイド部予定領域１３，１３の全面又は両方の側部２３ａ，２３ｂもしくは片方の側部２３ａ（２３ｂ）を除いた部分のシート１０にガード帯１，１が超音波シールによって添着されている。このピロー包装用原反から製袋されるピロー包装体の一方又は両方の端部にはノッチが入れられている。【選択図】図１
2009083912.tif 000002
【特許請求の範囲】
【請求項１】
帯状のシートから正面部と背面部と一対のサイド部とを備えたピロー包装体を製袋するピロー包装用原反であって、
前記サイド部となるサイド部予定領域の全面又は両方の側部もしくは片方の側部を除いた部分のシートにガード帯が添着されていることを特徴とするピロー包装用原反。
【請求項２】
前記ガード帯は、サイド部予定領域のシートの内側面に添着されていることを特徴とする請求項１に記載のピロー包装用原反。
【請求項３】
前記ガード帯は、超音波シールによって全面又は両方の側部のみ前記サイド部予定領域のシートに添着されていることを特徴とする請求項１又は２に記載のピロー包装用原反。
【請求項４】
前記シートの各側部が重ね合わされ、かつ、ガード帯を添着したサイド部予定領域の中心線が内側に折り込まれることにより、正面部となる正面部予定領域と背面部となる背面部予定領域との両方の側部の間に折襞状のサイド部予定領域が重ね合わされるとともに、正面部予定領域と背面部予定領域の両中間部が重ね合わされていることを特徴とする請求項１から３のいずれか１項に記載のピロー包装用原反。
【請求項５】
請求項１ないし４の何れか１項のピロー包装用原反の各側部が重ね合わされ、かつ、幅方向にエンドシールされて切断されたピロー包装体であって、
幅方向にエンドシールされて切断された一方又は両方の端部にノッチが入れられていることを特徴とするピロー包装体。
【請求項６】
前記ノッチは、偏心した位置に入れられていることを特徴とする請求項５に記載のピロー包装体。
【発明の詳細な説明】
【技術分野】
【０００１】
本発明は、食品や日用品などの被包装物をピロー包装するためのピロー包装用原反及びこのピロー包装用原反によって製袋されたピロー包装体に関し、詳しくは、正面部、背面部及び一対のサイド部を有するピロー包装体及びこのピロー包装体を製袋するためのピロー包装用原反に関する。
【背景技術】
【０００２】
食品や日用品などの被包装物をピロー包装したピロー包装体が各種提供されている。ピロー包装体は、ピロー包装機によって、ピロー包装用原反が筒状に成形されながら移送され、この筒状のピロー包装用原反内に被包装物が供給され、ピロー包装用原反の各側部が重ね合わされてセンターシールされ、ピロー包装用原反が幅方向にエンドシールされて切断されることによって製袋される。
【０００３】
そして、ピロー包装体がシャープな外観と変形しにくい剛性とを有するように製袋するためのピロー包装機用巻取原反が特許文献１に開示されている。このピロー包装機用巻取原反は、図８（ａ）に示すように、巻取原反を構成するシート１００に少なくとも一対以上（図面では二対４本）の接合柱状部１０１，１０２，１０３，１０４を帯状に設けたことを特徴としている。
【０００４】
このピロー包装機用巻取原反は、図８（ｂ）に示すように、シート１００にＺ状断面をなす折込部１１０を形成した後、この折込部１１０の内向きの折返部分内面１１１と平坦部内面１１２をそれぞれ所定幅で溶着することで、製袋されたピロー包装体の正面側の両方の側部と背面側の両方の側部に接合柱状部１０１，１０２，１０３，１０４を連続して形成している。
【０００５】
【特許文献１】特開２００７−８５１２号公報
【発明の開示】
【発明が解決しようとする課題】
【０００６】
特許文献１に開示されたピロー包装機用巻取原反は、折込部１１０を形成するための操作が複雑であり、生産性がよくないだけでなく、製袋されたピロー包装体の正面側の両方の側部と背面側の両方の側部に接合柱状部１０１，１０２，１０３，１０４が設けられるだけで、正面側と背面側との間に設けられるサイド部が保護されていないため、このサイド部に外力が加えられると、ピロー包装体が変形し、被包装物が損傷することがある。
【０００７】
また、このピロー包装体を開封するには、幅方向にエンドシールされて切断された一方の端部から他方の端部にかけて、正面部と背面部を一体に引き裂く。しかし、従来のピロー包装体にあっては、接合柱状部１０１，１０２，１０３，１０４が設けられていても、一方の端部から側縁の方へ引き裂かれてしまう場合がある。このような場合は、正面部及び背面部が全長に亘って引き裂かれず、被包装物を取り出しにくくなる。
【０００８】
そこで、本発明は、変形しにくいサイド部を有するピロー包装体を効率的に製袋することができるようにしたピロー包装用原反を提供するとともに、一端部から他端部に掛けて確実に引き裂かれて開封することができるようにしたピロー包装体を提供することを課題とする。
【課題を解決するための手段】
【０００９】
本発明に係るピロー包装用原反は、帯状のシートから正面部と背面部と一対のサイド部とを備えたピロー包装体を製袋するピロー包装用原反であって、前記サイド部となるサイド部予定領域の全面又は両方の側部もしくは片方の側部を除いた部分のシートにガード帯が添着されていることを特徴としている。
【００１０】
このピロー包装用原反によれば、サイド部予定領域の全面又は両方の側部もしくは片方の側部を除いた部分のシートにガード帯が添着されていることにより、変形しにくく、かつ、開封に際して、引裂きの方向を規制するサイド部を有するピロー包装体を効率的に製袋することができる。すなわち、このピロー包装用原反がセンターシールされ、そして幅方向にエンドシールされ切断されることによって正面部、背面部及び一対のサイド部を有するピロー包装体が製袋される。
【００１１】
このピロー包装体は、ガード帯を切断して形成されたガード部が、シートを切断して形成された包装材のサイド部に添着されている。したがって、このピロー包装体は、サイド部がガード部によって補強されるだけでなく、開封に際して、正面部及び背面部が一方の端部から引き裂かれたときに、引裂きの方向が側縁の方に逸（そ）れたとしても、サイド部に規制され、包装材が千切れることなく、他方の端部まで全長に亘って引き裂かれるようにすることができる。
【００１２】
また、前記本発明に係るピロー包装用原反において、前記ガード帯は、サイド部予定領域のシートの内側面に添着されていてもよい。
【００１３】
このピロー包装用原反によれば、ガード帯がサイド部予定領域のシートの内側面に添着されることにより、ガード帯から形成されるガード部がサイド部の内側に設けられ、サイド部の外観がガード部によって損なわれないようにすることができる。
【００１４】
また、前記本発明に係るピロー包装用原反において、前記ガード帯は、超音波シールによって全面又は両方の側部のみ前記サイド部予定領域のシートに添着されていることが好ましい。
【００１５】
このピロー包装用原反によれば、ガード帯が超音波シールによってサイド部予定部領域に添着されることにより、ガード帯及びシートがプラスチックフィルムによって形成されていても、サイド部は皺が寄らない良好な外観を呈するようにすることができる。また、超音波シールは、不織布によって形成されたガード帯をシートに添着することもできる。
【００１６】
また、前記本発明に係るピロー包装用原反において、前記シートの各側部が重ね合わされ、かつ、ガード帯を添着したサイド部予定領域の中心線が内側に折り込まれることにより、正面部となる正面部予定領域と背面部となる背面部予定領域との両方の側部の間に折襞状のサイド部予定領域が重ね合わされるとともに、正面部予定領域と背面部予定領域の両中間部が重ね合わされていてもよい。
【００１７】
このピロー包装用原反によれば、シートの各側部が重ね合わされ、かつ、ガード帯を添着したサイド部予定領域のセンターラインが内側に折り込まれることにより、扁平な筒状のピロー包装用原反を形成することができる。このピロー包装用原反から製袋されるピロー包装体は、ガード帯から形成されるガード部及びシートを切断して形成された包装材が内側に折り曲げられることにより、折癖を有するサイド部（サイドガセット）が設けられる。
【００１８】
また、本発明に係るピロー包装体は、前記何れかの本発明に係るピロー包装用原反の各側部が重ね合わされ、かつ、幅方向にエンドシールされて切断されたピロー包装体であって、幅方向にエンドシールされて切断された一方又は両方の端部にノッチが入れられていることを特徴としている。
【００１９】
このピロー包装体によれば、幅方向にエンドシールされて切断された一方又は両方の端部にノッチが入れられていることにより、正面部及び背面部の一方の端部から引き裂きやすくすることができる。
【００２０】
また、前記本発明に係るピロー包装体において、前記ノッチは、偏心した位置に入れられていることが好ましい。
【００２１】
このピロー包装体によれば、ノッチが偏心した位置に入れられることにより、幅狭に切除される部分と掴みやすいように幅広に残される部分とに分離される。幅狭に切除される部分は、サイド部に添着されたガード部によって確実に他端部まで引き裂かれる。
【発明の効果】
【００２２】
本発明によれば、ピロー包装用原反がサイド部予定領域の全面又は両方の側部もしくは片側を除いた部分のシートにガード帯を添着したものとされることにより、ガード帯を切断して形成されるガード部が、シートを切断して形成される包装材のサイド部に添着されたピロー包装体を効率的に製袋することができる。そして、このピロー包装体のサイド部は、包装材とガード部とを重ね合わせたものとされ、補強されていることから、開封に際して、全長に亘って引き裂くことができ、被包装物を取り出しやすくなり、また、変形しにくいものとなっていることから、被包装物を損傷させないように保護することができる。
【発明を実施するための最良の形態】
【００２３】
本発明に係るピロー包装用原反の実施形態について図１から図７を参照しながら説明する。このピロー包装用原反は、図１（ａ）（ｂ）に示すように、ロールに巻回される帯状のシート１０に一対のガード帯１，１を添着したことを特徴としている。シート１０としては、腰があり、透明性や防湿性などの特性に優れた二軸延伸ポリプロピレンや無延伸ポリプロピレンその他のプラスチックフィルムが使用される。このピロー包装用原反から図２に示すような正面部２１と背面部２２と一対のサイド部２３，２３を有するピロー包装体が製袋される。なお、一対のサイド部２３，２３は、図２に示したようなサイドガセットに限定するものでなく、平坦にしたり、後記のように外側に突出させたりしたものでもよい。
【００２４】
いずれにしても、ピロー包装用原反には、中心線部分に正面部予定領域１１、両側に背面部予定領域の各片側１２ａ，１２ａ、正面部予定領域１１と背面部予定領域の各片側１２ａ，１２ａとの間の部分に一対のサイド部予定領域１３，１３が設けられている。このピロー包装用原反は、正面部予定領域１１とサイド部予定領域１３，１３との境界線、そして背面部予定領域１２とサイド部予定領域１３，１３との境界線が折り目とされ、シート１０の各側部１０ａ，１０ａが重ね合わされ、合掌貼り又はいわゆる封筒貼りによってセンターシールされ、幅方向に切断されるとともにエンドシールされることにより、ピロー包装体が製袋される。
【００２５】
すなわち、シート１０が切断されることにより、図２に示すように正面部２１、背面部２２及び一対のサイド部２３，２３を備えた包装材２０が形成される。また、ガード帯１，１が切断されることにより、包装材２０と同じ長さのガード部２，２が形成される。このガード部２，２がサイド部２３，２３の包装材２０に添着される。
【００２６】
また、幅方向に切断されるとともにエンドシールされた一方又は両方の端部２４，２４には、ノッチ２５，２５が入れられている。このノッチ２５，２５は、図示したように偏心して入れられることにより、幅狭に切除される部分２６と、幅広に残される部分２７とに分離される。ただし、ノッチ２５，２５は、端部２４，２４の中心部に入れてもよいし、鋸歯形状に形成してもよい。
【００２７】
そして、ガード部２は、使用態様に応じて、４つのパターンでサイドガセット２３に設けられる。すなわち、ガード部２は、図３（ａ）に示すようにサイド部２３の全面に設けられ、あるいは図３（ｂ）に示すようにサイド部２３の両側側部２３ａ,２３ｂを除いた中心線の部分に設けられ、あるいは図３（ｃ）に示すようにサイド部２３の背面部２２に隣接する片方の側部２３ａを除いた部分に設けられ、あるいは図３（ｄ）に示すようにサイド部２３の正面部２１に隣接する片方の側部２３ｂを除いた部分の包装材２０に設けられる。
【００２８】
いずれにしても、ガード部２は帯状のシート１０に添着されたガード帯１が切断されて形成されるが、ガード帯１は、図４（ａ）に示すように全面がシート１０に添着され、あるいは図４（ｂ）に示すように両方の側部のみが幅広にシート１０に添着され、あるいは図４（ｃ）に示すように両方の側部のみが幅狭にシート１０に添着される。
【００２９】
ガード帯１の全面をシート１０に添着する場合において、ガード帯１とシート１０がプラスチックフィルムによって成形されていると、サイド部２３，２３に皺が寄らないようにするため、超音波シールによってガード帯１をシート１０に添着する。また、超音波シールは、不織布製のガード帯１をシート１０に添着することができる。
【００３０】
不織布製のガード帯１は、接着剤によってシート１０に添着することもできる。また、接着剤は、紙製のガード帯１をシート１０に添着することができる。いずれにしても、ガード帯１の全面がシート１０に添着されることにより、サイド部２３，２３の剛性を高めることができる。
【００３１】
また、ガード帯１の両方の側部を幅狭にシート１０に添着する場合において、ガード帯１とシート１０とがともにヒートシール性を有しているときは、超音波シール、ヒートシール、あるいは接着剤のいずれによってもガード帯１をシート１０に添着することができる。ヒートシールや接着剤によってサイド部２３，２３に皺が寄っても、幅狭に添着されることによって目立たないため、外観を損なうことがない。
【００３２】
いずれにしても、ガード帯１は、ピロー包装体の外観を損ねないようにシート１０の内側面に添着することが好ましい。ただし、被包装物Ａが食品であれば、不織布製のガード帯１や紙製のガード帯１は、風合いが出るようにシート１０の外側面に添着される。なお、不織布製や紙製のガード帯１がシート１０の外側面に添着される場合は、サイド部予定領域１３，１３をさらに補強するため、シート１０の内側面のサイド部予定領域１３，１３の全面又は両側部にプラスチックフィルム製のガード帯（図示せず）が添着されてもよい。したがって、この場合は、サイド部予定領域は、３層となる。
【００３３】
このようなピロー包装用原反は、図１に示すように平坦な状態でロール状に巻回され、あるいは図５もしくは図６に示すように扁平な筒状に折り曲げられた状態でロール状に巻回されて保管される。なお、図５及び図６は見やすくするため、正面部予定領域１１と背面部予定領域の各片側１２ａ,１２ａとが離間した状態に描いてあるが、実際は、重なり合っている。
【００３４】
図５に示すピロー包装用原反は、シート１０の各側部１０ａ,１０ａが重ね合わされ、かつ、ガード帯１，１を添着したサイド部予定領域１３，１３の中心が内側に折り込まれた扁平な筒状とされている。このピロー包装用原反は、シート１０の各側部１０ａ,１０ａが重ね合わされることによって背面部予定領域の各片側１２ａ，１２ａ同士が接続された背面部予定領域１２が設けられ、この背面部予定領域１２と正面部予定領域１１との両方の側部の間に折襞状のサイド部予定領域１３，１３が重ね合わされるとともに、正面部予定領域１１と背面部予定領域１２の両中間部が重ね合わされる。
【００３５】
また、図６に示したピロー包装用原反は、シート１０の各側部１０ａ,１０ａが重ね合わされ、かつ、ガード帯１，１を添着したサイド部予定領域１３，１３の中心が外側に折られている。このピロー包装用原反は、シート１０の各側部１０ａ,１０ａが重ね合わされることによって背面部予定領域の各片側１２ａ，１２ａ同士が接続された背面部予定領域１２が設けられ、この背面部予定領域１２と正面部予定領域１１の全面が重ね合わされた扁平な筒状とされる。
【００３６】
いずれにしても、ロール状に巻回されたピロー包装用原反は、各ガード帯１，１がシート１０の中心線を対称軸に対象に配置されているため、安定した状態で保管される。なお、図５及び図６に示したピロー包装用原反は、いわゆる封筒貼りによってセンターシールする場合を示しているが、合掌貼りによってセンターシールするようにシート１０の各側部１０ａ,１０ａを重ね合わせてもよい。
【００３７】
そして、図１に示すような平坦な状態でロール状に巻回された扁平な筒状のピロー包装用原反は、一般的なよこピロー包装機又はたてピロー包装機によって被包装物Ａをピロー包装することにより、ピロー包装体に製袋される。すなわち、被包装物Ａがシート１０の内側に供給され、シート１０の各側部１０ａ，１０ａが接合されてセンターシールされることにより、ピロー包装用原反が、正面部予定領域１１、背面部予定領域１２そして一対のサイド部予定領域１３，１３内に被包装物Ａを包んだ筒状とされる。
【００３８】
また、図５及び図６に示すような扁平な筒状のピロー包装用原反は、正面部予定領域１１と背面部予定領域１２が離間して、被包装物Ａがシート１０の内側に供給され、センターシールされることにより、ピロー包装用原反が、正面部予定領域１１、背面部予定領域１２そして一対のサイド部予定領域１３，１３内に被包装物Ａを包んだ筒状とされる。
【００３９】
このように被包装物Ａを包んだピロー包装用原反は、幅方向にエンドシールかつ切断されることにより、帯状のシート１０とガード帯１，１とが切断される。シート１０が切断されることによって、図２に示すように、正面部２１、背面部２２、一対のサイド部２３，２３を有し、これら２１，２２，２３，２３の両端部２４，２４が封止された包装材２０が形成され、ガード帯１，１が切断されることによってガード部２，２が形成され、このガード部２，２が各サイド部２３，２３のシート１０に添着されたピロー包装体が製袋される。また、ピロー包装用原反を幅方向に切断すると同時に、又は切断した後に、一方又は両方の端部２４，２４にノッチ２５，２５が入れられる。
【００４０】
なお、図５に示す扁平な筒状のピロー包装用原反から製袋されたピロー包装体は、サイド部予定領域１３，１３が折襞状とされ、折癖が付けられていることから、ピロー包装体のサイド部２３，２３は、く字形に折れ曲がったサイドガセットが設けられ、パンなどの嵩のある被包装物を好適に包装することができる。また、図６に示す扁平な筒状のピロー包装用原反から製袋されたピロー包装体は、煎餅などの嵩の低い被包装物を好適に包装することができる。
【００４１】
そして、ピロー包装体は、使用態様に応じて、図３に示すようにサイド部２３，２３の包装材２０の片面又は両面にガード部２，２が添着されたものであるため、サイド部２３，２３がく字形に折れ曲がっていても、あるいは折れ曲がっていなくても、添着されたガード部２，２によって補強されて変形しにくく、包装された被包装物Ａを保護することができる。
【００４２】
そして、開封するときは、一方の端部２４のノッチ２５から他方の端部２４の方へ正面部２１及び背面部２２を引き裂く。その引き裂き方向がピロー包装体の側縁の方に逸れても、ガード部２によって規制され、途中で引き千切れることなく、他方の端部２４まで開封される。ノッチ２５が偏心して入れられていると、幅狭に切除された部分２６から被包装物Ａが露出し、幅広に残される部分２７によって被包装物Ａを掴むことができる。したがって、被包装物Ａが食品の場合は、衛生的に食することができる。また、被包装物Ａが例えば３０ｃｍ程度のパンの場合は、徐々に引き裂きながら食することができる。
【００４３】
なお、本発明は、前記の実施形態に限定することなく、特許請求の範囲に記載した技術的事項の範囲内において種々変更することができる。例えば、図３においては、合掌貼りによってセンターシールされたピロー包装体を示しているが、いわゆる封筒貼りによってセンターシールされたピロー包装体であっても実施することができる。また、シート１０の各側部１０ａ，１０ａを重ね合わせられる部分は、背面部２２でなく、図７（ａ）（ｂ）（ｃ）（ｄ）に示すように、正面部２１と一方のサイド部２３とが重ね合わされる部分としてよいし、図示しないが、背面部２２と一方のサイド部２３とが重ね合わされる部分としてもよい。
【００４４】
また、ピロー包装体は、一方のサイド部２３にガセットを設け、他方のサイド部２３にガセットを設けない形態とすることもできる。このピロー包装体は、一方のサイド部２３にガセットが設けられることにより、この一方のサイド部２３を底側に、他方のサイド部２３を上向きにして陳列台に置くことができる。この陳列状態において、ピロー包装体は、一方のサイド部２３が底部となるため、安定した状態で、しかも、見栄えよく置かれることになる。ただし、このピロー包装体であっても、背面部２２を底側にして陳列台に置いてもよい。いずれにしても、このピロー包装体は、図１に示すピロー包装用原反から製袋され、あるいは、図５に示すピロー包装用原反と図６に示すピロー包装用原反を組み合わせたピロー包装用原反から製袋することができる。
【図面の簡単な説明】
【００４５】
【図１】本発明に係るピロー包装用原反の第１の実施形態を示し、（ａ）は斜視図、（ｂ）は正面図である。
【図２】本発明に係るピロー包装用原反によって製袋されたピロー包装体の一実施形態を示す斜視図である。
【図３】本発明に係るピロー包装用原反によって製袋されたピロー包装体であって、（ａ）（ｂ）（ｃ）（ｄ）は異なる実施形態を示す断面正面図である。
【図４】本発明に係るピロー包装用原反の第１の実施形態を示し、（ａ）は一部拡大正面図、（ｂ）（ｃ）はそれぞれ変形例の一部拡大正面図である。
【図５】本発明に係るピロー包装用原反の第２の実施形態を示し、（ａ）は斜視図、（ｂ）は正面図である。
【図６】本発明に係るピロー包装用原反の第３の実施形態を示し、（ａ）は斜視図、（ｂ）は正面図である。
【図７】本発明に係るピロー包装用原反によって製袋された図３と異なるピロー包装体であって、（ａ）（ｂ）（ｃ）（ｄ）は異なる実施形態を示す断面正面図である。
【図８】従来のピロー包装体であって、（ａ）は斜視図、（ｂ）は正面図である。
【符号の説明】
【００４６】
１………ガード帯
１０……シート
１１……正面部予定領域
１２……背面部予定領域
１２ａ…背面部予定領域の側部
１３……サイド部予定領域
２１……正面部
２２……背面部
２３……サイド部
２３ａ…サイド部の片方の側部
２３ｂ…サイド部の片方の側部
２４……端部
２５……ノッチ
【図１】
2009083912.tif 000003
【図２】
2009083912.tif 000004
【図３】
2009083912.tif 000005
【図４】
2009083912.tif 000006
【図５】
2009083912.tif 000007
【図６】
2009083912.tif 000008
【図７】
2009083912.tif 000009
【図８】
2009083912.tif 000010